(57)【要約】      （修正有）【課題】有線ＩＰ内線電話機から発信した場合でも、無線ＩＰ内線電話機から発信したものと着信側に認識させることができる技術を提供する。【解決手段】無線ＩＰ内線電話機１は、自無線ＩＰ内線電話機１のアドレス情報を含む各種情報を有線ＩＰ内線電話機２に送信して、その後、自無線ＩＰ内線電話機１の送信動作を停止する。一方、有線ＩＰ内線電話機２は、無線ＩＰ内線電話機１から各種情報を受信すると、自有線ＩＰ内線電話機２のアドレス情報を、デフォルトのアドレス情報からこの各種情報に含まれているアドレス情報に変更する。【選択図】図１
2009038497.tif 000002
【特許請求の範囲】
【請求項１】
少なくとも一台のクライアント端末と、サーバ装置とを有する通信システムであって、
前記クライアント端末は、
自クライアント端末のアドレス情報を含む設定データを前記サーバ装置に送信する代替要求手段と、
前記代替要求手段により前記設定データが送信された場合に、自クライアント端末の送信動作を停止する送信制御手段と、を有し、
前記サーバ装置は、
前記クライアント端末から前記設定データを受信する代替要求受信手段と、
自サーバ装置のアドレス情報を、所定のアドレス情報から、前記代替要求受信手段により受信された前記設定データに含まれているアドレス情報に変更する代替手段と、を有する
ことを特徴とする通信システム。
【請求項２】
請求項１に記載の通信システムであって、
前記代替要求手段は、
前記設定データの送信に先立って、代替要求を前記サーバ装置に送信し、前記サーバ装置から代替許可通知を受信した場合にのみ、前記設定データを前記サーバ装置に送信し、
前記代替要求受信手段は、
前記クライアント端末の代替要求を許可する場合に、当該クライアント端末から受信した前記代替要求に対する応答として前記代替許可通知を当該クライアント端末に送信する
ことを特徴とする通信システム。
【請求項３】
請求項２に記載の通信システムであって、
前記代替要求受信手段は、
前記クライアント端末から前記代替要求を受信した場合に、現在時刻が予め定められた時間帯に属するならば、当該クライアント端末の代替要求を許可する
ことを特徴とする通信システム。
【請求項４】
請求項１乃至３のいずれか一項に記載の通信システムであって、
前記クライアント端末は、
前記サーバ装置から代替終了通知を受信する代替終了通知受信手段をさらに有し、
前記サーバ装置は、
送信動作を停止中の前記クライアント端末に対して、前記代替終了通知を送信する代替終了通知手段をさらに有し、
前記送信制御手段は、
前記代替終了通知手段により前記サーバ装置から前記代替終了通知を受信した場合に、自クライアント端末の送信動作を再開し、
前記代替手段は、
前記代替終了通知手段による前記クライアント端末への前記代替終了通知の送信に先立って、自サーバ装置のアドレス情報を、当該クライアント端末のアドレス情報から前記所定のアドレス情報に戻す
ことを特徴とする通信システム。
【請求項５】
請求項４に記載の通信システムであって、
前記代替終了通知手段は、
現在時刻が予め定められた時間帯を経過した場合に、送信動作を停止中の前記クライアント端末に対して前記代替終了通知を送信する
ことを特徴とする通信システム。
【請求項６】
請求項１乃至５の何れか一項に記載の通信システムであって、
前記クライアント端末および前記サーバ装置は、ＩＰ電話機であり、
前記代替要求手段は、
前記設定データに自クライアント端末の電話帳データを含めて、当該設定データを前記サーバ装置に送信し、
前記代替手段は、
自サーバ装置のアドレス情報を、前記代替要求受信手段により受信された前記設定データに含まれているアドレス情報に変更している期間中、操作者に、当該設定データに含まれている電話帳データの利用を許可する
ことを特徴とする通信システム。
【請求項７】
請求項４又は５に記載の通信システムであって、
前記クライアント端末および前記サーバ装置は、ＩＰ電話機であり、
前記代替要求手段は、
前記設定データに自クライアント端末の履歴データを含めて、当該設定データを前記サーバ装置に送信し、
前記代替手段は、
自サーバ装置のアドレス情報を、前記代替要求受信手段により受信された前記設定データに含まれているアドレス情報に変更している期間中、自サーバ装置の発着信履歴を用いて、当該設定データに含まれている履歴データを更新する
ことを特徴とする通信システム。
【請求項８】
請求項７に記載の通信システムであって、
前記代替終了通知手段は、
前記代替手段によって更新された前記履歴データを前記代替終了通知と共に、送信動作を停止中の前記クライアント端末に送信する
ことを特徴とする通信システム。
【請求項９】
請求項１乃至８の何れか一項に記載の通信システムで用いられるクライアント端末。
【請求項１０】
請求項１乃至８の何れか一項に記載の通信システムで用いられるサーバ装置。
【請求項１１】
クライアント端末に成り代わってサーバ装置が通信する代替通信方法であって、
前記クライアント端末は、
自クライアント端末のアドレス情報を含む設定データを前記サーバ装置に送信し、その後、自クライアント端末の送信動作を停止し、
前記サーバ装置は、
前記クライアント端末から前記設定データを受信すると、自サーバ装置のアドレス情報を、所定のアドレス情報から当該設定データに含まれているアドレス情報に変更する
ことを特徴とする代替通信方法。
【発明の詳細な説明】
【技術分野】
【０００１】
本発明は、クライアント端末に成り代わってサーバ装置が通信する技術に関する。
【背景技術】
【０００２】
特許文献１には、携帯電話機から固定電話機に電話をかけ、携帯電話機に記憶されている住所録や電話番号等のデータを固定電話機に記憶させることができるシステムが開示されている。このシステムにおいて、携帯電話機は、固定電話機が記憶している住所録や電話番号等のデータを選択、受信し、そのデータを自己のメモリに記憶することによって、随時必要なデータのみを選択、利用することができる。
【０００３】
【特許文献１】特開平５−９５３９８号公報
【発明の開示】
【発明が解決しようとする課題】
【０００４】
特許文献１において、携帯電話機の持ち主が、携帯電話機から固定電話機に記憶させた住所録や電話番号等のデータを利用して、固定電話機から電話をかけることができれば、さらに利便性が高まる。しかし、この場合、次の問題が発生する。
【０００５】
例えば、携帯電話機のバッテリ切れのため、携帯電話機から固定電話機に移したデータを使って固定電話機から電話をかけた場合を考える。この場合、この電話の発信者情報が固定電話機となるため、着信側では、この電話が携帯電話機の持ち主の電話であることを認識できない。
【０００６】
本発明は、上記事情に鑑みてなされたものであり、本発明の目的は、他の通信装置から発信した場合でも、所定の通信装置から発信したものと着信側に認識させることが可能な技術を提供することにある。
【課題を解決するための手段】
【０００７】
上記課題を解決するために、本発明において、クライアント端末は、自クライアント端末のアドレス情報を含む設定データをサーバ装置に送信して、その後、自クライアント端末の送信動作を停止する。一方、サーバ装置は、クライアント端末から設定データを受信すると、自サーバ装置のアドレス情報を、所定のアドレス情報からこの設定データに含まれているアドレス情報に変更する。
【０００８】
例えば、本発明は、少なくとも一台のクライアント端末と、サーバ装置とを有する通信システムであって、
前記クライアント端末は、
自クライアント端末のアドレス情報を含む設定データを前記サーバ装置に送信する代替要求手段と、
前記代替要求手段により前記設定データが送信された場合に、自クライアント端末の送信動作を停止する送信制御手段と、を有し、
前記サーバ装置は、
前記クライアント端末から前記設定データを受信する代替要求受信手段と、
自サーバ装置のアドレス情報を、所定のアドレス情報から前記代替要求受信手段により受信された前記設定データに含まれているアドレス情報に変更する代替手段とを有する。
【発明の効果】
【０００９】
本発明によれば、サーバ装置から発信した場合でも、クライアント端末から発信したものと着信側に認識させることができる。
【発明を実施するための最良の形態】
【００１０】
以下、本発明の一実施の形態について説明する。
【００１１】
図１は、本発明の一実施の形態が適用されたＩＰ内線電話システムの概略図である。
【００１２】
図示するように、本実施の形態のＩＰ内線電話システムは、少なくとも一台の無線ＩＰ内線電話機１と、少なくとも一台の有線ＩＰ内線電話機２と、これらのＩＰ内線電話機１、２を収容する主装置３と、を有する。有線ＩＰ内線電話機２は、ＬＡＮ５を介して主装置３に接続されている。無線ＩＰ内線電話機１は、アクセスポイント４およびＬＡＮ５を介して主装置３に接続されている。
【００１３】
主装置３は、ＩＰ内線電話機１、２をＩＰ電話網６に接続するゲートウェイとしての機能を備えたＩＰ−ＰＢＸ（Ｐｒｉｖａｔｅ  Ｂｒａｎｃｈ  ｅＸｃｈａｎｇｅ）である。
【００１４】
無線ＩＰ内線電話機１は、代替通信サービスのクライアント端末として機能するＩＰ内線電話機である。代替通信サービスでは、クライアント端末に成り代わってサーバ装置が通信する。
【００１５】
図２は、無線ＩＰ内線電話機１の概略構成図である。
【００１６】
図示するように、無線ＩＰ内線電話機１は、無線通信インターフェース部１１と、ＭＭ（ＭＡＮ  ＭＡＣＨＩＮＥ）インターフェース部１２と、呼制御部１３と、通信制御部１４と、データ記憶部１５と、主制御部１６と、を有する。
【００１７】
無線通信インターフェース部１１は、アクセスポイント４に接続するためのインターフェースである。図示するように、無線通信インターフェース部１１は、アクセスポイント４に無線フレームを送信する送信部１１１と、アクセスポイント４から送信された無線フレームを受信する受信部１１２と、を有する。
【００１８】
ＭＭインターフェース部１２は、通話のためのハンドセットと、電話番号、各種指示の入力を受け付けるための操作部と、各種情報を表示するための表示部と、を備える。
【００１９】
呼制御部１３は、ＳＩＰ（Ｓｅｓｓｉｏｎ  Ｉｎｉｔｉａｔｉｏｎ  Ｐｒｏｔｏｃｏｌ）等の呼制御プロトコルに従い、呼制御処理を行って、通話相手との間に通話パスを確立する。
【００２０】
通信制御部１４は、ＲＴＰ（Ｒｅａｌ−ｔｉｍｅ  Ｔｒａｎｓｐｏｒｔ  Ｐｒｏｔｏｃｏｌ）等の通信プロトコルに従い、呼制御部１３によって確立された通話パスを介して、通話相手と通話データを送受する。
【００２１】
データ記憶部１５には、自無線ＩＰ内線電話機１がＩＰ電話に用いる各種情報が記憶されている。図示するように、データ記憶部１５は、アドレス情報記憶部１５１と、設定情報記憶部１５２と、電話帳情報記憶部１５３と、履歴情報記憶部１５４と、を有する。
【００２２】
アドレス情報記憶部１５１には、自無線ＩＰ内線電話機１のアドレス情報が記憶されている。図３（Ａ）は、アドレス情報記憶部１５１の登録内容を模式的に表した図である。図示するように、アドレス情報には、ＭＡＣアドレス１５１１、ＩＰアドレス１５１２、および電話番号１５１３が含まれている。
【００２３】
設定情報記憶部１５２には、自無線ＩＰ内線電話機１の設定情報が記憶されている。図３（Ｂ）は、設定情報記憶部１５２の登録内容を模式的に表した図である。図示するように、設定情報には、利用可能な通信方式１５２１、ファンクションキー等に割り当てられた操作内容を示すキー情報１５２２、およびＭＭインターフェース部１２のハンドセットの音量情報１５２３が含まれている。
【００２４】
電話帳情報記憶部１５３には、発着信の際に通話相手を特定するために利用される電話帳情報が記憶されている。図３（Ｃ）は、電話帳情報記憶部１５３の登録内容を模式的に表した図である。図示するように、電話帳情報記憶部１５３には、通話相手毎にレコード１５３０が登録されている。レコード１５３０は、通話相手の名称を登録するフィールド１５３１と、通話相手の電話番号を登録するフィールド１５３２と、通話相手の住所、所属先等の個人情報を登録するフィールド１５３３と、を有する。
【００２５】
履歴情報記憶部１５４には、自無線ＩＰ内線電話機１の発着信の履歴情報が記憶されている。図３（Ｄ）は、履歴情報記憶部１５４の登録内容を模式的に表した図である。図示するように、履歴情報記憶部１５４には、発着信毎にレコード１５４０が登録される。レコード１５４０は、発信かそれとも着信かを示す通信種別を登録する第１のフィールド１５４１と、通話相手の電話番号等の相手情報を登録する第２のフィールド１５４２と、通信開始時刻を登録する第３のフィールド１５４３と、通信終了時刻を登録する第４のフィールド１５４４と、を有する。
【００２６】
主制御部１６は、自無線ＩＰ内線電話機１の各部１１〜１５を統括的に制御する。また、主制御部１６は、履歴管理部１６１と、代替要求部１６２と、代替終了通知受信部１６３と、送信制御部１６４と、を有する。
【００２７】
履歴管理部１６１は、呼制御部１３を監視し、自無線ＩＰ内線電話機１に対する発着信の履歴を履歴情報記憶部１５４に登録する。
【００２８】
代替要求部１６２は、ＭＭインターフェース部１２に入力された操作者の指示に従い、あるいは、予め定められたスケジュールに従い、自無線ＩＰ内線電話機１の代替動作を要求する代替要求を生成し、無線通信インターフェース部１１を介してこの代替要求を有線ＩＰ内線電話機２に送信する。また、有線ＩＰ内線電話機２によって代替要求が許可された場合に、データ記憶部１５に記憶されている各種情報（アドレス情報、設定情報、電話帳情報、履歴情報）をこの有線ＩＰ内線電話機２に送信すると共に、送信制御部１６４に送信停止を指示する。
【００２９】
代替終了通知受信部１６３は、無線通信インターフェース部１１を介して有線ＩＰ内線電話機２から代替終了通知を受信した場合に、有線ＩＰ内線電話機２から各種情報（アドレス情報、設定情報、電話帳情報、履歴情報）を受信し、これらの情報をデータ記憶部１５に記憶すると共に、送信制御部１６４に送信再開を指示する。
【００３０】
送信制御部１６４は、入力された送信停止指示に従い、送信部１１１、呼制御部１３、通信制御部１４、および履歴管理部１６１の動作を停止する（代替開始）。また、入力された送信再開指示に従い、送信部１１１、呼制御部１３、通信制御部１４、および履歴管理部１６１の動作を再開する（代替終了）。
【００３１】
図４は、無線ＩＰ内線電話機１の動作を説明するためのフロー図である。
【００３２】
通信動作中において（Ｓ１０１でＹＥＳ）、無線通信インターフェース部１１に着信があると、あるいは、ＭＭインターフェース部１２に発信操作があると（Ｓ１０２でＹＥＳ）、呼制御部１３は、ＳＩＰ等の呼制御プログラムに従って発着信処理を行い、通話相手との間に通話パスを形成する。そして、通信制御部１４が、ＲＴＰ等の通信プロトコルに従い、この通話パスを介して、通話相手と通話データを送受する（Ｓ１０３）。
【００３３】
さて、履歴管理部１６１は、呼制御部１３により発着信処理が行われると、履歴情報記憶部１５４に新規レコード１５４０を追加し、このレコード１５４０の第１のフィールド１５４１に通信種別（発信か着信か）を、第２のフィールド１５４２に通話相手の情報（電話番号等）を、第３のフィールド１５４３に通信開始時刻を登録する。そして、通話が終了したならば、このレコード１５４０の第４のフィールド１５４４に通信終了時刻を登録する（Ｓ１０４）。
【００３４】
また、通信動作中において（Ｓ１０１でＹＥＳ）、ＭＭインターフェース部１２への所定指示の入力、あるいは図６で説明する所定時刻の到来、もしくは無線ＩＰ内線電話機１の図示していないバッテリ電源の低下等の、代替要求のための所定のイベントが発生すると（Ｓ１０２でＮＯ、かつＳ１０５でＹＥＳ）、代替要求部１６２は、代替要求を生成し、無線通信インターフェース部１１を介してこの代替要求を有線ＩＰ内線電話機２に送信する（Ｓ１０６）。そして、無線通信インターフェース部１１を介して有線ＩＰ内線電話機２から代替要求の許可通知を受信したならば（Ｓ１０７でＹＥＳ）、代替要求部１６２は、データ記憶部１５の各記憶部（アドレス情報記憶部１５１、設定情報記憶部１５２、電話帳情報記憶部１５３、履歴情報記憶部１５４）に記憶されている各種情報を読み出し、これらの情報を有線ＩＰ内線電話機２に送信する（Ｓ１０８）。その後、代替要求部１６２は、送信制御部１６４に送信停止を指示する。
【００３５】
これを受けて、送信制御部１６４は、送信部１１１、呼制御部１３、通信制御部１４、および履歴管理部１６１の動作を停止して、代替を開始する（Ｓ１０９）。
【００３６】
また、通信停止中において（Ｓ１０１でＮＯ）、代替終了通知受信部１６３は、無線通信インターフェース部１１を介して、有線ＩＰ内線電話機２から代替終了通知を受信すると（Ｓ１１０でＹＥＳ）、有線ＩＰ内線電話機２に応答を送信する（Ｓ１１１）。そして、有線ＩＰ内線電話機２から各種情報（アドレス情報記憶部１５１、設定情報記憶部１５２、電話帳情報記憶部１５３、および履歴情報記憶部１５４内の各情報）を受信したならば（Ｓ１１２でＹＥＳ）、代替終了通知受信部１６３は、データ記憶部１５に記憶されている各種情報を、有線ＩＰ内線電話機２から受信した各種情報に更新する（Ｓ１１３）。その後、代替終了通知受信部１６３は、送信制御部１６４に送信再開を指示する。
【００３７】
これを受けて、送信制御部１６４は、送信部１１１、呼制御部１３、通信制御部１４、および履歴管理部１６１の動作を再開して、代替を終了する（Ｓ１１４）。
【００３８】
図１に戻って説明を続ける。有線ＩＰ内線電話機２は、代替通信サービスのサーバ装置として機能するＩＰ内線電話機である。
【００３９】
図５は、有線ＩＰ内線電話機２の概略構成図である。
【００４０】
図示するように、有線ＩＰ内線電話機２は、通信インターフェース部２１と、ＭＭインターフェース部２２と、呼制御部２３と、通信制御部２４と、データ記憶部２５と、スケジュール記憶部２６と、主制御部２７と、を有する。
【００４１】
通信インターフェース部２１は、ＬＡＮ５に接続するためのインターフェースである。
【００４２】
ＭＭインターフェース部２２は、通話のためのハンドセットと、電話番号、各種指示の入力を受け付けるための操作部と、各種情報を表示するための表示部と、を備える。
【００４３】
呼制御部２３は、ＳＩＰ等の呼制御プロトコルに従い、呼制御処理を行って、通話相手との間に通話パスを確立する。
【００４４】
通信制御部２４は、ＲＴＰ等の通信プロトコルに従い、呼制御部２３によって確立された通話パスを介して、通話相手と通話データを送受する。
【００４５】
データ記憶部２５は、自有線ＩＰ内線電話機２がＩＰ電話に用いる各種データが記憶されている。図示するように、データ記憶部２５は、デフォルト情報記憶部２５１と、代替情報記憶部２５２と、を有する。
【００４６】
デフォルト情報記憶部２５１は、代替動作中でない場合に、自有線ＩＰ内線電話機２がＩＰ電話に用いる各種情報が記憶されている。図示していないが、デフォルト情報記憶部２５１は、アドレス情報記憶部、設定情報記憶部、電話帳情報記憶部、および履歴情報記憶部を有する。これらは、図３（Ａ）−（Ｄ）に示すアドレス情報記憶部１５１、設定情報記憶部１５２、電話帳情報記憶部１５３、および履歴情報記憶部１５４と同様である。
【００４７】
代替情報記憶部２５２は、代替動作中に、自有線ＩＰ内線電話機２がＩＰ電話に用いる各種情報が記憶されている。図示していないが、代替情報記憶部２５２は、デフォルト情報記憶部２５１と同様に、アドレス情報記憶部、設定情報記憶部、電話帳情報記憶部、および履歴情報記憶部を有する。これらは、図３（Ａ）−（Ｄ）に示すアドレス情報記憶部１５１、設定情報記憶部１５２、電話帳情報記憶部１５３、および履歴情報記憶部１５４と同様である。
【００４８】
スケジュール記憶部２６は、各無線ＩＰ内線電話機１の代替要求が許可される時間帯を示すスケジュール情報が記憶されている。図６は、スケジュール記憶部２６の登録内容例を模式的に表した図である。図示するように、スケジュール記憶部２６には、無線ＩＰ内線電話機１毎にレコード２６０が登録されている。レコード２６０は、無線ＩＰ内線電話機１の識別情報（電話番号、ＩＰアドレス等）を登録するフィールド２６１と、代替要求を許可する曜日を登録するフィールド２６２と、代替要求の許可を開始する時刻を登録するフィールド２６３と、代替要求の許可を終了する時刻を登録するフィールド２６４と、を有する。
【００４９】
主制御部２７は、自有線ＩＰ内線電話機２の各部２１〜２６を統括的に制御する。また、主制御部２７は、履歴管理部２７１と、代替要求受信部２７２と、代替終了通知部２７３と、代替制御部２７４と、を有する。
【００５０】
履歴管理部２７１は、呼制御部２３を監視し、自有線ＩＰ内線電話機２に対する発着信の履歴をデータ記憶部２５に登録する。ここで、代替動作中の場合は、発着信の履歴をデータ記憶部２５内の代替情報記憶部２５２に設けられている履歴情報記憶部に登録する。代替動作中でない場合は、発着信の履歴をデータ記憶部２５内のデフォルト情報記憶部２５１に設けられている履歴情報記憶部に登録する。
【００５１】
代替要求受信部２７２は、通信インターフェース部２１を介して無線ＩＰ内線電話機１から代替要求を受信した場合に、スケジュール記憶部２６を参照して、この代替要求を許可するか否かを判断し、判断結果の通知を、この無線ＩＰ内線電話機１に送信する。ここで、判断結果の通知として代替許可通知を送信した場合、この無線ＩＰ内線電話機１から各種情報（アドレス情報記憶部１５１、設定情報記憶部１５２、電話帳情報記憶部１５３、および履歴情報記憶部１５４内の情報）を受信し、これらの情報を用いて代替情報記憶部２５２の各記憶部（アドレス情報記憶部、設定情報記憶部、電話帳情報記憶部、履歴情報記憶部）の登録内容を更新すると共に、代替制御部２７４に代替開始を指示する。
【００５２】
代替終了通知部２７３は、代替動作中において、スケジュール記憶部２６を参照して、この代替を終了するか否かを判断する。代替を終了する判断した場合に、代替制御部２７４に代替終了を指示すると共に、通信インターフェース部２１を介して、代替対象の無線ＩＰ内線電話機１に代替終了通知を送信する。そして、この無線ＩＰ内線電話機１から応答を受信したならば、代替情報記憶部２５２の各記憶部（アドレス情報記憶部、設定情報記憶部、電話帳情報記憶部、履歴情報記憶部）に登録されている各種情報をこの無線ＩＰ内線電話機１に送信する。
【００５３】
代替制御部２７４は、入力された代替開始指示に従い、代替情報記憶部２５２に記憶されている各種情報に従って、自有線ＩＰ内線電話機２の各部２１〜２４の設定を変更する。これにより、代替情報記憶部２５２に情報が記憶されている無線ＩＰ内線電話機１の代替動作を行う。また、代替制御部２７４は、入力された代替終了指示に従い、デフォルト情報記憶部２５１に記憶されている各種情報に従って、自有線ＩＰ内線電話機２の各部２１〜２４の設定を変更する。これにより、代替動作を終了して、有線ＩＰ内線電話機２としての本来の動作に戻る。
【００５４】
図７は、有線ＩＰ内線電話機２の動作を説明するためのフロー図である。
【００５５】
先ず、代替制御部２７４は、通信インターフェース部２１、ＭＭインターフェース部２２、呼制御部２３、および通信制御部２４を初期化する（Ｓ２０１）。それから、代替制御部２７４は、デフォルト情報記憶部２５１から各種情報を読み込み、通信インターフェース部２１、ＭＭインターフェース部２２、呼制御部２３、および通信制御部２４に設定する（Ｓ２０２）。具体的には、デフォルト情報記憶部２５１のアドレス情報記憶部に記憶されているＭＡＣアドレス、ＩＰアドレスを自有線ＩＰ内線電話機２のＭＡＣアドレス、ＩＰアドレスとして、通信インターフェース部２１に設定する。また、デフォルト情報記憶部２５１のアドレス情報記憶部に記憶されている電話番号を自有線ＩＰ内線電話機２の電話番号として、呼制御部２３に設定する。また、デフォルト情報記憶部２５１の設定情報記憶部に記憶されている通信方式を自有線ＩＰ内線電話機２の通話に利用可能な通信方式として、通信制御部２４に設定する。また、デフォルト情報記憶部２５１の設定情報記憶部に記憶されているキー情報、音量情報をＭＭインターフェース部２２のキー情報、音量情報に設定する。これにより、有線ＩＰ内線電話機２は、デフォルト情報記憶部２５１に登録されている各種情報により特定される本来の有線ＩＰ内線電話機２として動作する（デフォルト動作）。
【００５６】
デフォルト動作中において、通信インターフェース部２１に着信があると、あるいは、ＭＭインターフェース部２２に発信操作があると（Ｓ２０３でＹＥＳ）、呼制御部２３は、ＳＩＰ等の呼制御プログラムに従って発着信処理を行い、通話相手との間に通話パスを形成する。そして、通信制御部２４が、ＲＴＰ等の通信プロトコルに従い、この通話パスを介して、通話相手と通話データを送受する（Ｓ２０４）。
【００５７】
さて、呼制御部２３により発着信処理が行われると、履歴管理部２７１は、デフォルト情報記憶部２５１の履歴情報記憶部に新規レコードを追加し、このレコードの第１のフィールドに通信種別（発信か着信か）を、第２のフィールドに通話相手の情報（電話番号等）を、第３のフィールドに通信開始時刻を登録する。そして、通話が終了したならば、このレコードの第４のフィールドに通信終了時刻を登録する（Ｓ２０５）。
【００５８】
また、デフォルト動作中において、代替要求受信部２７２は、通信インターフェース部２１を介して無線ＩＰ内線電話機１から代替要求を受信すると（Ｓ２０６でＹＥＳ）、スケジュール記憶部２６に記憶されている、代替要求の送信元である無線ＩＰ内線電話機１のスケジュール情報を参照する。そして、本日の曜日および現在時刻が、このスケジュール情報により特定される曜日帯および時間帯に含まれているか否かを調べることで、この無線ＩＰ内線電話機１の代替要求を許可するか否かを判断する（Ｓ２０７）。
【００５９】
この無線ＩＰ内線電話機１の代替要求を許可しない場合（Ｓ２０７でＮＯ）、代替要求受信部２７２は、通信インターフェース部２１を介してこの無線ＩＰ内線電話機１に代替不許可通知を送信する（Ｓ２０８）。その後、Ｓ２０３に戻る。
【００６０】
一方、この無線ＩＰ内線電話機１の代替要求を許可する場合（Ｓ２０７でＹＥＳ）、代替要求受信部２７２は、通信インターフェース部２１を介してこの無線ＩＰ内線電話機１に代替許可通知を送信する（Ｓ２０９）。その後、Ｓ２１０に進む。
【００６１】
Ｓ２１０において、代替要求受信部２７２は、通信インターフェース部２１を介してこの無線ＩＰ内線電話機１から各種情報（アドレス情報記憶部１５１、設定情報記憶部１５２、電話帳情報記憶部１５３、履歴情報記憶部１５４内の情報）が送られてくるのを待ち、代替情報記憶部２５２の各記憶部の登録内容をこれらの情報に更新すると共に、代替制御部２７４に代替開始を指示する。
【００６２】
これを受けて、代替制御部２７４は、通信インターフェース部２１、ＭＭインターフェース部２２、呼制御部２３、および通信制御部２４を初期化する（Ｓ２１１）。それから、代替制御部２７４は、代替情報記憶部２５２から各種情報を読み込み、通信インターフェース部２１、ＭＭインターフェース部２２、呼制御部２３、および通信制御部２４に設定する（Ｓ２１２）。具体的には、代替情報記憶部２５２のアドレス情報記憶部に記憶されているＭＡＣアドレス、ＩＰアドレスを、自有線ＩＰ内線電話機２のＭＡＣアドレス、ＩＰアドレスとして、通信インターフェース部２１に設定する。また、代替情報記憶部２５２のアドレス情報記憶部に記憶されている電話番号を、自有線ＩＰ内線電話機２の電話番号として、呼制御部２３に設定する。また、代替情報記憶部２５２の設定情報記憶部に記憶されている通信方式を、自有線ＩＰ内線電話機２の通話に利用可能な通信方式として、通信制御部２４に設定する。また、代替情報記憶部２５２の設定情報記憶部に記憶されているキー情報、音量情報をＭＭインターフェース部２２のキー情報、音量情報に設定する。これにより、有線ＩＰ内線電話機２は、代替情報記憶部２５２に登録されている各種情報により特定される無線ＩＰ内線電話機１の代替電話として動作する（代替動作）。
【００６３】
代替動作中において、通信インターフェース部２１に着信があると、あるいは、ＭＭインターフェース部２２に発信操作があると（Ｓ２１３でＹＥＳ）、呼制御部２３は、ＳＩＰ等の呼制御プログラムに従って発着信処理を行い、通話相手との間に通話パスを形成する。そして、通信制御部２４が、ＲＴＰ等の通信プロトコルに従い、この通話パスを介して、通話相手と通話データを送受する（Ｓ２１４）。
【００６４】
さて、呼制御部２３により発着信処理が行われると、履歴管理部２７１は、代替情報記憶部２５２の履歴情報記憶部に新規レコードを追加し、このレコードの第１のフィールドに通信種別（発信か着信か）を、第２のフィールドに通話相手の情報（電話番号等）を、第３のフィールドに通信開始時刻を登録する。そして、通話が終了したならば、このレコードの第４のフィールドに通信終了時刻を登録する（Ｓ２１５）。
【００６５】
また、代替動作中において、代替終了通知部２７３は、スケジュール記憶部２６に記憶されている、代替動作の対象である無線ＩＰ内線電話機１のスケジュール情報を参照する。そして、本日の曜日および現在時刻がこのスケジュール情報により特定される曜日帯および時間帯から外れたか否かを調べることで、この無線ＩＰ内線電話機１を対象とする代替動作を終了するか否かを判断する（Ｓ２１６）。
【００６６】
そして、代替動作を終了する場合（Ｓ２１６でＹＥＳ）、代替終了通知部２７３は、代替制御部２７４に代替終了を指示する。これを受けて、代替制御部２７４は、通信インターフェース部２１、ＭＭインターフェース部２２、呼制御部２３、および通信制御部２４を初期化する（Ｓ２１７）。それから、代替制御部２７４は、デフォルト情報記憶部２５１から各種情報を読み込み、通信インターフェース部２１、ＭＭインターフェース部２２、呼制御部２３、および通信制御部２４に設定する（Ｓ２１８）。これにより、デフォルト動作に戻す。
【００６７】
その後、代替終了通知部２７３は、通信インターフェース部２１を介してこの無線ＩＰ内線電話機１に代替終了通知を送信する（Ｓ２１９）。その後、この無線ＩＰ内線電話機１から応答を受信したならば（Ｓ２２０でＹＥＳ）、代替終了通知部２７３は、代替情報記憶部２５２の各記憶部（アドレス情報記憶部、設定情報記憶部、電話帳情報記憶部、履歴情報記憶部）に記憶されている各種情報を読み出し、通信インターフェース部２１を介してこの無線ＩＰ内線電話機１にこれらの情報を送信する（Ｓ２２１）。その後、Ｓ２０３に戻る。
【００６８】
図８は、本発明の一実施の形態が適用されたＩＰ内線電話システムの動作例を説明するためのシーケンス図である。
【００６９】
無線ＩＰ内線電話機１は、代替要求のための所定のイベントが発生すると（Ｓ３０１）、代替要求を有線ＩＰ内線電話機２に送信する（Ｓ３０２）。
【００７０】
有線ＩＰ内線電話機２は、無線ＩＰ内線電話機１から代替要求を受信すると、この無線ＩＰ内線電話機１の代替要求を許可するか否かを判断する（Ｓ３０３）。そして、許可する場合に、代替許可通知をこの無線ＩＰ内線電話機１に送信する（Ｓ３０４）。
【００７１】
無線ＩＰ内線電話機１は、有線ＩＰ内線電話機２から代替許可通知を受信すると、この有線ＩＰ内線電話機２が自無線ＩＰ内線電話機１として動作するために必要な各種情報をこの有線ＩＰ内線電話機２に送信し（Ｓ３０５）、その後、自無線ＩＰ内線電話機１の送信機能を停止する（Ｓ３０６）。
【００７２】
有線ＩＰ内線電話機２は、無線ＩＰ内線電話機１から各種情報を受信すると、これらの情報に基づき、この無線ＩＰ内線電話機１の代替動作を開始する（Ｓ３０７）。
【００７３】
さて、主装置３は、有線ＩＰ内線電話機２の外線発信を受信すると（Ｓ３０８）、この発信をＩＰ電話網６に送出する（Ｓ３０９）。この際、この発信の発信者情報には、無線ＩＰ内線電話機１のアドレス情報が用いられる。次に、有線ＩＰ内線電話機２が通話相手からの応答を受信すると（Ｓ３１０）、この有線ＩＰ内線電話機２と通話相手との間に通話パスが形成される（Ｓ３１１）。また、有線ＩＰ内線電話機２は、この通話の履歴を登録する（Ｓ３１２）。
【００７４】
次に、有線ＩＰ内線電話機２は、代替動作の終了タイミングになると（Ｓ３１３）、代替動作を終了して、自有線ＩＰ内線電話機２をデフォルト動作に戻す（Ｓ３１４）。その後、代替動作の対象であった無線ＩＰ内線電話機１に、代替終了通知を送信する（Ｓ３１５）。
【００７５】
送信機能停止中の無線ＩＰ内線電話機１は、有線ＩＰ内線電話機２から代替終了通知を受信すると、その応答を返信する（Ｓ３１６）。有線ＩＰ内線電話機２は、代替終了通知の送信先である無線ＩＰ内線電話機１から応答を受信すると、この無線ＩＰ内線電話機１の代替動作のために利用した各種情報をこの無線ＩＰ内線電話機１に送信する（Ｓ３１７）。これを受けて、無線ＩＰ内線電話機１は、受信した各種情報に基づき、自無線ＩＰ内線電話機１の送信機能を再開する（Ｓ３１８）。
【００７６】
さて、主装置３は、有線ＩＰ内線電話機２の外線発信を受信すると（Ｓ３１９）、この発信をＩＰ電話網６に送出する（Ｓ３２０）。この際、この発信の発信者情報には、有線ＩＰ内線電話機２本来のアドレス情報が用いられる。次に、有線ＩＰ内線電話機２が通話相手から応答を受信すると（Ｓ３２１）、この有線ＩＰ内線電話機２と通話相手との間に通話パスが形成される（Ｓ３２２）。また、有線ＩＰ内線電話機２は、この通話の履歴を登録する（Ｓ３２３）。
【００７７】
以上、本発明の一実施の形態を説明した。
【００７８】
本実施の形態において、無線ＩＰ内線電話機１は、自無線ＩＰ内線電話機１のアドレス情報を含む各種情報を有線ＩＰ内線電話機２に送信して、その後、自無線ＩＰ内線電話機１の送信機能を停止する。一方、有線ＩＰ内線電話機２は、無線ＩＰ内線電話機１から各種情報を受信すると、自有線ＩＰ内線電話機２のアドレス情報を、デフォルトのアドレス情報からこの各種情報に含まれているアドレス情報に変更する。したがって、本実施の形態によれば、有線ＩＰ内線電話機２から発信した場合でも、無線ＩＰ内線電話機１から発信したものと着信側に認識させることができる。
【００７９】
また、本実施の形態において、無線ＩＰ内線電話機１は、自無線ＩＰ内線電話機１のアドレス情報を含む各種情報の送信に先立って、代替要求を有線ＩＰ内線電話機２に送信し、有線ＩＰ内線電話機２から代替許可通知を受信した場合にのみ、これらの各種情報を有線ＩＰ内線電話機２に送信する。一方、有線ＩＰ内線電話機２は、無線ＩＰ内線電話機１の代替要求を許可する場合に、代替許可通知をこの無線ＩＰ内線電話機１に送信する。このようにすることにより、本実施の形態によれば、有線ＩＰ内線電話機２が代替要求を許可する無線ＩＰ内線電話機１を選択することができる。
【００８０】
また、本実施の形態において、有線ＩＰ内線電話機２は、無線ＩＰ内線電話機１から代替要求を受信した場合に、本日の曜日および現在時刻がこの無線ＩＰ内線電話機１の代替要求を許可するようにスケジュールされた曜日帯および時間帯に属することを条件に、この無線ＩＰ内線電話機１の代替要求を許可する。このようにすることにより、本実施の形態によれば、有線ＩＰ内線電話機２が複数の無線ＩＰ内線電話機１を代替できるようにスケジュールすることができる。
【００８１】
また、本実施の形態において、無線ＩＰ内線電話機１は、有線ＩＰ内線電話機２から代替終了通知を受信した場合に、自無線ＩＰ内線電話機１の送信機能を再開する。一方、有線ＩＰ内線電話機２は、送信機能停止中の無線ＩＰ内線電話機１への代替終了通知の送信に先立って、自有線ＩＰ内線電話機２のアドレス情報を、この無線ＩＰ内線電話機１のアドレス情報から自有線ＩＰ内線電話機２本来のアドレス情報に戻し、それから、代替終了通知を送信する。このようにすることにより、本実施の形態によれば、有線ＩＰ内線電話機２の代替動作からデフォルト動作への移行、および無線ＩＰ内線電話機１の送信機能停止からの送信機能再開への移行を円滑に行うことができる。
【００８２】
また、有線ＩＰ内線電話機２は、無線ＩＰ内線電話機１の代替動作中に、この無線ＩＰ内線電話機１の代替要求を許可するようにスケジュールされた時間帯から現在時刻が外れた場合に、この無線ＩＰ内線電話機１に代替終了通知を送信する。このようにすることにより、本実施の形態によれば、有線ＩＰ内線電話機２が代替動作からデフォルト動作へ自動的に移行するようにスケジュールすることができる。
【００８３】
また、本実施の形態において、無線ＩＰ内線電話機１は、各種情報に自無線ＩＰ内線電話機１の電話帳情報を含めて有線ＩＰ内線電話機２に送信し、有線ＩＰ内線電話機２は、この無線ＩＰ内線電話機１の代替動作中、操作者に、この無線ＩＰ内線電話機１から受信した電話帳情報を利用する。このため、本実施の形態によれば、有線ＩＰ内線電話機２を無線ＩＰ内線電話機１の使用環境に近づけることができる。
【００８４】
また、本実施の形態において、無線ＩＰ内線電話機１は、各種情報に自無線ＩＰ内線電話機１の履歴情報を含めて有線ＩＰ内線電話機２に送信し、有線ＩＰ内線電話機２は、この無線ＩＰ内線電話機１の代替動作中、自有線ＩＰ内線電話機２への発着信に対して、この無線ＩＰ内線電話機１から受信した履歴情報を更新する。このため、本実施の形態によれば、有線ＩＰ内線電話機２は、代替動作中、代替対象の無線ＩＰ内線電話機１の過去の発着信履歴を引き継ぐため、利用者は、例えば、発着信履歴を利用したリダイヤル操作等を行うことができ、また、有線ＩＰ内線電話機２は、代替動作中の発着信を、代替対象の無線ＩＰ内線電話機１に対する発着信として履歴をとることができる。
【００８５】
また、本実施の形態によれば、有線ＩＰ内線電話機２は、代替動作を終了した場合に、代替動作中に更新した履歴情報を、この代替動作の対象であった無線ＩＰ内線電話機１に送信する。このため、無線ＩＰ内線電話機１は、代替動作中の有線ＩＰ内線電話機２の履歴情報を引き継ぐことができる。
【００８６】
なお、本発明は上記の実施の形態に限定されるものではなく、その要旨の範囲内で数々の変形が可能である。例えば、無線ＩＰ内線電話機１および有線ＩＰ内線電話機２の各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）など計算機によりソフトウエア的に実行されるものでもよい。
【００８７】
また、上記の実施の形態において、無線ＩＰ内線電話機１は、有線ＩＰ内線電話機２に送信するアドレス情報としてＭＡＣアドレスを含めている。しかし、本発明はこれに限定されない。主装置３が、ＩＰレイヤ以上のレイヤのアドレスを利用してＩＰ内線電話機を認識（特定）する場合、アドレス情報にＭＡＣアドレスを含める必要はない。つまり、有線ＩＰ内線電話機２のＭＡＣアドレスを固定としてもよい。
【００８８】
また、上記の実施の形態では、代替通信サービスのクライアント端末が無線ＩＰ内線電話機１であり、代替通信サービスのサーバ装置が有線ＩＰ内線電話機２である場合を例にとり説明した。しかし、本発明はこれに限定されない。代替通信サービスのクライアント端末に有線ＩＰ内線電話機を含めてもよい。また、代替通信サービスのサーバ装置が無線ＩＰ内線電話機であってもよい。さらに、代替通信サービスのクライアント端末およびサーバ装置は、ＩＰ内線電話機でなくてもよい。
【図面の簡単な説明】
【００８９】
【図１】図１は、本発明の一実施の形態が適用されたＩＰ内線電話システムの概略図である。
【図２】図２は、無線ＩＰ内線電話機１の概略構成図である。
【図３】図３（Ａ）は、アドレス情報記憶部１５１の登録内容を模式的に表した図であり、図３（Ｂ）は、設定情報記憶部１５２の登録内容を模式的に表した図であり、図３（Ｃ）は、電話帳情報記憶部１５３の登録内容を模式的に表した図であり、図３（Ｄ）は、履歴情報記憶部１５４の登録内容を模式的に表した図である。
【図４】図４は、無線ＩＰ内線電話機１の動作を説明するためのフロー図である。
【図５】図５は、有線ＩＰ内線電話機２の概略構成図である。
【図６】図６は、スケジュール記憶部２６の登録内容例を模式的に表した図である。
【図７】図７は、有線ＩＰ内線電話機２の動作を説明するためのフロー図である。
【図８】図８は、本発明の一実施の形態が適用されたＩＰ内線電話システムの動作例を説明するためのシーケンス図である。
【符号の説明】
【００９０】
１：無線ＩＰ内線電話機、２：有線ＩＰ内線電話機、３：主装置、４：アクセスポイント、５：ＬＡＮ、６：ＩＰ電話網、１１：無線通信インターフェース部、１２：ＭＭインターフェース部、１３：呼制御部、１４：通信制御部、１５：データ記憶部、１６：主制御部、２１：通信インターフェース部、２２：ＭＭインターフェース部、２３：呼制御部、２４：通信制御部、２５：データ記憶部、２６：スケジュール記憶部、２７：主制御部、１１１：送信部、１１２：受信部、１５１：アドレス情報記憶部、１５２：設定情報記憶部、１５３：電話帳情報記憶部、１５４：履歴情報記憶部、１６１：履歴管理部、１６２：代替要求部、１６３：代替終了通知受信部、１６４：送信制御部、２５１：デフォルト情報記憶部、２５２：代替情報記憶部、２７１：履歴管理部、２７２：代替要求受信部、２７３：代替終了通知部、２７４：代替制御部
【図１】
2009038497.tif 000003
【図２】
2009038497.tif 000004
【図３】
2009038497.tif 000005
【図４】
2009038497.tif 000006
【図５】
2009038497.tif 000007
【図６】
2009038497.tif 000008
【図７】
2009038497.tif 000009
【図８】
2009038497.tif 000010